(57)【特許請求の範囲】
【請求項１】
支点位置にて揺動自在に軸支され且つ複数の腕部を有する中間揺動部材と、
該中間揺動部材の前記支点位置とは異なる支点位置にて揺動自在にそれぞれ軸支され且つ前記中間揺動部材の腕部の動作にそれぞれ連動する複数の揺動部材と、
前記中間揺動部材及び前記揺動部材の少なくとも一つを駆動して揺動させる駆動回路と、を有し、
前記揺動部材が、揺動自在に軸支され且つ前記中間揺動部材の腕部の動作により揺動する竿部と、該竿部の一端に設けられる装飾部材と、を有し、前記竿部が、その支点位置から前記装飾部材までの長さよりも支点位置から前記中間揺動部材により揺動される端部までの長さの方が長くなるように設定されていることを特徴とする振り子機構。
【発明の詳細な説明】
【０００１】
【発明の属する技術分野】
本発明は、時計の振り子機構に関するものであり、特に、単一の駆動回路で複数の揺動部材を揺動させるものに関する。
【０００２】
【従来の技術】
従来より、一方の振り子の動作で他方の振り子を揺動させる振り子装置や、一つの振り子の動作で二つの装飾体を揺動させる振り子装置が、実開平５−１４９８１号公報や特開平８−１２２４５８号公報に示されているように、提案され商品化されている。
【０００３】
【発明が解決しようとする課題】
上記従来の技術においては、二つの振り子や装飾体を同時に揺動させて、より複雑で趣味性の高い動作を得ることができる。しかしながら、その振り子同志あるいは装飾体同志の動作を見ると、極めて似通った上下あるいは左右の揺動を示すものが多かった。このように、振り子同志あるいは装飾体同志が似通った揺動をするものにおいては、それらが連動していることが比較的容易にわかり、動作だけでなく機構上の面白味が希薄になり易いという課題があった。
【０００４】
また、一つの振り子で他の振り子や装飾体を動かすため、大きな揺動が必要となり、振り竿等を大型化することが必要となる場合が多かった。このように振り竿等を大型化すると、振り竿等にわずかな反りがあるだけで胴等に接触して止まってしまうことがあった。
【０００５】
更に、複数の装飾体や振り子を同軸に取り付けると支軸にかかる重量が増し、軸部で支えきれなくなるため、装飾体や振り子の重さや数、材質に制限があった。
【０００６】
本発明は、上記従来技術の課題に鑑みなされたもので、複数の揺動部材を一度に揺動させて各種の動作を行わせ、且つ確実で安定した動作をすると共に、重量等の制約もより少ない振り子機構を提供するものである。
【０００７】
【課題を解決するための手段】
本発明の振り子機構は、支点位置にて揺動自在に軸支され且つ複数の腕部を有する中間揺動部材と、該中間揺動部材の前記支点位置とは異なる支点位置にて揺動自在にそれぞれ軸支され且つ前記中間揺動部材の腕部の動作にそれぞれ係合する複数の揺動部材と、前記中間揺動部材及び前記揺動部材の少なくとも一つを駆動して揺動させる駆動回路と、を有するものである。
【０００８】
この上記振り子機構における前記揺動部材は、揺動自在に軸支され且つ前記中間揺動部材の腕部の動作により揺動する竿部と、該竿部の一端に設けられる装飾部材と、を有し、前記竿部は、その支点位置から前記装飾部材までの長さよりも支点位置から前記中間揺動部材により揺動される端部までの長さの方が長くなるように設定されている。
【０００９】
【発明の実施の形態】
本発明の振り子機構は、中間揺動部材と複数の揺動部材、更にそれを駆動する駆動回路により構成されている。中間揺動部材と複数の揺動部材は、それぞれ独立した支点位置にて軸支されている。この中間揺動部材は、複数の腕部を有している。この腕部は、鉛直下方に設けられた腕部と、この腕部を挟んで相対する位置に設けられている複数の腕部を有している。この中間揺動部材は、下方に設けられた腕部に駆動回路により駆動されて揺動する振り竿としての揺動部材が係合するか、あるいはその腕部自体が振り竿となって駆動回路により直接駆動される等により、駆動されて揺動する。
【００１０】
また、上記のように揺動する中間揺動部材の複数の腕部には、揺動部材がそれぞれ近接配置されており、腕部に揺動部材がそれぞれ係合するか又は磁石による吸引・反発力を利用して、中間揺動部材の揺動に揺動部材が連動するように構成されている。これにより、中間揺動部材の揺動に複数の揺動部材がそれぞれ連動して揺動することになる。このように揺動する複数の揺動部材は、それぞれの支点位置を中心とした回動あるいは直線的な往復動等により装飾部材等を動かし、様々な動きを表現することを可能にしている。
【００１１】
更に、揺動部材の支点位置から両端部までの長さの設定の仕方により、小さい駆動力で重い装飾部材を揺動させたり、中間揺動部材の駆動力を増強することが可能となる。
【００１２】
【実施例】
以下、図面に基いて本発明の実施例を説明する。図１は本発明の一実施例に係る振り子機構を示す正面図である。２は支軸４により支点位置にて揺動自在に支持された中間揺動部材であり、本実施例においては３つの腕部２ａ，２ｂ，２ｃを有する略Ｔ形状に設定されている。腕部２ａは支軸４が設けられた支点位置の鉛直下方に突出し、腕部２ｂ，２ｃは腕部２ａを挟んで対称となる位置に突出している。尚、支軸４は、時計の胴等に固定されている。
【００１３】
６，８，１０はそれぞれ支軸１２，１４，１６により揺動自在に支持された揺動部材である。本実施例における揺動部材６は、中間揺動部材２の腕部２ａの直下に配置された竿状をなすものであり、上方の端部６ａが腕部２ａに係合している。また、揺動部材８は、中間揺動部材２の腕部２ｂの図中左方に隣接配置されており、支軸１４により回動自在に支持されている回動部材８ａと、この回動部材８ａに一体又は固定されて中間揺動部材２の腕部２ｂに係合する係合腕部８ｂとを有している。更に、揺動部材１０は、中間揺動部材２の腕部２ｃの図中右方に隣接配置されており、支軸１６により揺動自在に支持され且つ中間揺動部材２の腕部２ｃに一方の端部１０ｃが係合する竿部１０ａと、その他方の端部１０ｂに回動自在に軸１８により軸着された装飾部材１０ｄとを有している。
【００１４】
本実施例における中間揺動部材２と揺動部材６，８，１０との係合部分、即ち、腕部２ａと揺動部材６の端部６ａ、腕部２ｂと揺動部材８の係合腕部８ｂ、腕部２ｃと揺動部材１０の竿部１０ａの端部１０ｃにおける係合は、腕部２ａ，２ｂ，２ｃの端面にそれぞれ設けられた溝部２ｄ，２ｅ，２ｆに端部６ａと係合腕部８ｂと端部１０ｃの端面にそれぞれ設けられた突出部６ｄ，８ｅ，１０ｆとが一定の遊びをもって嵌合することにより係合している。
【００１５】
２０は駆動回路であり、磁石２０ａと、これに近接配置され磁石２０ａに磁気吸引力と反発力を作用させるコイル部２０ｂとを有している。本実施例における磁石２０ａは揺動部材６の下方の端部６ｂの裏面側に取り付けられており、コイル部２０ｂはこの端部６ｂに一定の間隔をあけて対向するように時計の胴等に取り付けられている。
【００１６】
次に、上記構成からなる本実施例の振り子機構の動作を説明する。コイル部２０ｂに電流が供給されると、その磁気作用により磁石２０ａが設けられている揺動部材６が支軸１２を中心として図中左右に揺動する。このときの揺動部材６の端部６ａの左右の揺動は中間揺動部材２の腕部２ａに伝わり、この腕部２ａも支軸４を中心として図中左右に揺動する。
【００１７】
上記のような中間揺動部材２の揺動により、その腕部２ｂ，２ｃは上下に揺動し、その揺動によって揺動部材８の係合腕部８ｂも支軸１４を中心として上下に揺動する。この係合腕部 ８ｂの揺動により、回動部材８ａはその中心にある支軸１４を中心として回動することになる。また、腕部２ｃの揺動により竿部１０ａの端部１０ｃは支軸１６を中心として揺動し、これにより端部１０ｂに取り付けられている装飾部材１０ｄが上下に直線的に往復動することになる。
【００１８】
尚、上記実施例においては、中間揺動部材２の腕部２ａ，２ｂ，２ｃ側に溝部２ｄ，２ｅ，２ｆを設け、揺動部材６，８，１０側に突出部６ｄ，８ｅ，１０ｆを設けてそれぞれ係合させているが、腕部２ａ，２ｂ，２ｃ側に突出部を設け、揺動部材６，８，１０側に溝部を設けても良い。
【００１９】
また、この腕部２ａ，２ｂ，２ｃと揺動部材６，８，１０との係合については、上述したような溝部と突出部の係合だけでなく、図２に示すような扇状の歯車２２とこれに噛合する歯車２４を用いても良い。即ち、例えば中間揺動部材２の腕部２ａ，２ｂ，２ｃの先端に歯車２２を形成し、揺動部材６，８，１０側に歯車２４を設けてそれぞれ噛合させ、腕部２ａ，２ｂ，２ｃの揺動を歯車２２，２４の回動として揺動部材６，８，１０に伝えて、そのまま装飾部材を回動させたり揺動させることができる。
【００２０】
また、腕部２ａ，２ｂ，２ｃと揺動部材６，８，１０との係合については、上記歯車を用いる他にも、揺動部材６，８，１０側の正面等にピンを立てそのピンに回動自在に腕部２ａ，２ｂ，２ｃを係合させたり、あるいは透孔にフック状や棒状の係合片を挿入することにより係合させる構造を用いることもできる。例えば、図３の下方に示すように、時計の前枠等に設けられた装飾体２６に支軸１２によって揺動自在に支持された揺動部材６の背面側に棒状の係合片２８の一端を取り付け、中間揺動部材２の腕部２ａに設けた長孔状の透孔２ｇに係合片２８の先端を遊挿する。これにより、揺動部材６と中間揺動部材２は連結され、互いの揺動が伝わることになる。尚、図４に示すように、中間揺動部材２の腕部２ａ側に係合片２８の一端を固定し、この係合片２８の先端を揺動部材６に設けた透孔６ｇに遊挿するように構成しても良い。
【００２１】
更に、腕部２ａ，２ｂ，２ｃと揺動部材６，８，１０とを連動させるための構造としては、上記のようにそれらを係合させる構造の他に、磁石を用いて係合させることなく連動させることもできる。即ち、図３の上方に示すように、例えば中間揺動部材２の腕部２ｂ，２ｃの端部に磁石３０，３２をそれぞれ取り付け、揺動部材８，１０の一部に磁石３０，３２にそれぞれ隣接するように磁石３４，３６を取り付ける。これにより、腕部２ｂ，２ｃが揺動すると、磁石３０，３２がそれぞれ揺動部材８，１０側の磁石３４，３６の近辺を移動することになり、磁石３０と磁石３４との間と磁石３２と磁石３６との間における磁気吸引力又は反発力により揺動部材８，１０もそれぞれ揺動することになる。
【００２２】
一方、図１及び図３に示す振り子機構においては、駆動回路２０で揺動部材６を揺動させることにより中間揺動部材２や他の揺動部材８，１０を揺動させているが、この中間揺動部材２や揺動部材８，１０を駆動回路２０で駆動するように構成しても良い。即ち、図４に示すように、例えば中間揺動部材２の腕部２ａに磁石２０ａを取り付け、その背後に一定の間隔をあけて対向するようにコイル部２０ｂを時計の胴等に取り付けることで配置する。これにより、通電されたコイル部２０ｂの磁気作用により磁石２０ａが取り付けられた腕部２ａが支軸４を中心として左右に揺動することになる。
【００２３】
また、中間揺動部材２を駆動回路２０で駆動する場合には、腕部２ａだけでなく、腕部２ｂ又は２ｃを駆動することも可能である。即ち、図５に示すように、腕部２ｂに磁石２０ａを取り付け、その背後に一定の間隔をあけて対向するようにコイル部２０ｂを時計の胴等に取り付けることで配置する。これにより、駆動回路２０によって腕部２ｂが支軸４を中心として上下に揺動することになる。
【００２４】
本実施例における振り子機構においては、上記のような中間揺動部材２の揺動により複数の揺動部材を揺動させている。このため、中間揺動部材２が安定した揺動をすることが望ましく、各図に示すように支軸４から鉛直下方に腕部２ａが突出し、この腕部２ａを挟む対象位置に腕部２ｂ，２ｃが突出して図中左右対称となる形状が望ましい。但し、このように左右対称となる形状を有する中間揺動部材２の場合、腕部２ｂ，２ｃが揺動するときの先端の移動軌跡や駆動力は同一となり、それぞれ異なる重量を有し且つ異なる動作をする揺動部材８，１０を揺動させる場合に、片方の動作が小さくなったり、動作のバランスが悪くなることがある。この場合には、中間揺動部材２の腕部２ｂ，２ｃの長さをそれぞれ異なるように設定しても良いが、中間揺動部材２全体のバランス取りが難しくなるので、図６に示すように、揺動部材８，１０の全長Ｓ，Ｌや、竿部１０ａの端部１０ｃ，１０ｂと支軸１６との長さＬ１，Ｌ２等の設定を変更して、重い装飾部材１０を小さい駆動力で上下に移動させたり、揺動部材８を大きく回動させるようにすることが好ましい。
【００２５】
即ち、竿部１０ａの端部１０ｃ，１０ｂと支軸１６との長さＬ１，Ｌ２がＬ２＜Ｌ１となるように設定すれば、中間揺動部材２の腕部２ｃの駆動力が小さくても重い装飾部材１０ｄを駆動することができる。
【００２６】
また、中間揺動部材２の駆動力を増すには、駆動回路２０によって駆動される端部６ｂから支軸１２までの長さＬ４と、中間揺動部材２に係合してこれを揺動させる端部６ａから支軸１２までの長さＬ３がＬ３＜Ｌ４となるように設定すれば、小さい駆動力を増大させて中間揺動部材２に伝え、多くの揺動部材を揺動させるのに十分な力を与えることができる。
【００２７】
【発明の効果】
本発明によれば、中間揺動部材と複数の揺動部材とが連動するように構成しているので、中間揺動部材の一様で安定した揺動をそれぞれの揺動部材がそれぞれ異なる揺動に変換することになり、同時に様々な動作を表現することができ、連動する機構をわかりにくくして興味を惹き、より趣味性を高めることができる。
【００２８】
また、中間揺動部材と複数の揺動部材を連動させているため、一つ一つの部材を小型化することができ、反りや曲がりの発生やそれらによる悪影響を防ぐことができる。
【００２９】
更に、中間揺動部材と複数の揺動部材を連動させているため、各揺動部材毎に動作状態を設定することができ、中間揺動部材の安定した動作に影響を与えることなく重量や動作が異なる複数の揺動部材を同時に揺動させることができる。
【図面の簡単な説明】
【図１】本発明の一実施例に係る振り子機構を示す正面図である。
【図２】図１に示す中間揺動部材と揺動部材との係合部分の他の例を示す正面部分図である。
【図３】図１に示す中間揺動部材と揺動部材との係合部分のその他の例を示す正面図である。
【図４】図１に示す中間揺動部材と揺動部材との係合部分のその他の例及び駆動回路の配置を変更した例を示す正面部分図である。
【図５】図１に示す駆動回路の配置を変更したその他の例を示す正面部分図である。
【図６】図１に示す中間揺動部材や揺動部材の駆動力等を変更・設定する場合の説明図である。
【符号の説明】
２                    中間揺動部材
４，１２，１４，１６  支軸
６，８，１０          揺動部材
２０                  駆動回路
【図１】
0003771405.tif 000002
【図２】
0003771405.tif 000003
【図３】
0003771405.tif 000004
【図４】
0003771405.tif 000005
【図５】
0003771405.tif 000006
【図６】
0003771405.tif 000007